(57)【要約】【課題】用紙が紙送り方向に対して斜めに挿入された場合の磁気インク文字の認識精度の向上を図ることが可能になる磁気インク文字認識装置を提供すること。【解決手段】磁気信号の各サンプリング点における振幅値が時間軸の負方向に対応する順序で取得され、該振幅値が所定値であるか否かが判定される。その判定結果に基づいて１文字分の磁気信号が取得される。１文字分の磁気信号の時間軸上にＮ個の特徴取得対象区間（Ｓ１〜Ｓ８）が設定される。各特徴取得対象区間（Ｓ１〜Ｓ８）の中心は、１文字分の磁気信号を時間軸上でＮ等分することによって得られるＮ個の等分区間（Ｅ１〜Ｅ８）のうちの、該特徴取得対象区間に対応する等分区間の中心よりも時間軸の正方向側に設定される。各特徴取得対象区間（Ｓ１〜Ｓ８）における磁気信号の特徴を示す特徴情報と、各磁気インク文字の標準特徴情報と、が比較されることによって磁気インク文字が認識される。【選択図】図５
2008210133.tif 000002
【特許請求の範囲】
【請求項１】
磁気ヘッドから出力される磁気信号に基づいて処理を実行することによって、記録媒体に記録された磁気インク文字を認識する磁気インク文字認識装置において、
前記磁気信号の各サンプリング点における振幅値を時間軸の負方向に対応する順序で取得し、該振幅値が所定値であるか否かを判定する判定手段と、
いずれかのサンプリング点における振幅値が前記所定値であると判定された場合、該サンプリング点に基づいて、前記磁気信号から１文字分の磁気信号を取得する１文字分磁気信号取得手段と、
前記１文字分の磁気信号の時間軸上にＮ個（ただし、Ｎは２以上の整数）の特徴取得対象区間を設定する設定手段と、
前記１文字分の磁気信号の前記Ｎ個の特徴取得対象区間の各々における特徴を示す特徴情報を取得する特徴情報取得手段と、
前記特徴情報と、各磁気インク文字の標準特徴情報と、を比較することによって、前記１文字分の磁気信号に対応する磁気インク文字を認識する認識手段と、
を含み、
前記設定手段は、前記Ｎ個の特徴取得対象区間の各々の中心を、前記１文字分の磁気信号を時間軸上でＮ等分することによって得られるＮ個の等分区間のうちの、該特徴取得対象区間に対応する等分区間の中心よりも時間軸の正方向側に設定する、
ことを特徴とする磁気インク文字認識装置。
【請求項２】
請求項１に記載の磁気インク文字認識装置において、
前記設定手段は、前記Ｎ個の特徴取得対象区間のうちの少なくとも１つについて、該特徴取得対象区間の終端を、前記Ｎ個の等分区間のうちの、該特徴取得対象区間に対応する等分区間の終端よりも時間軸の正方向側に設定することを特徴とする磁気インク文字認識装置。
【請求項３】
磁気ヘッドから出力される磁気信号に基づいて処理を実行することによって、記録媒体に記録された磁気インク文字を認識する磁気インク文字認識装置において、
前記磁気信号の各サンプリング点における振幅値を時間軸の正方向に対応する順序で取得し、該振幅値が所定値であるか否かを判定する判定手段と、
いずれかのサンプリング点における振幅値が前記所定値であると判定された場合、該サンプリング点に基づいて、前記磁気信号から１文字分の磁気信号を取得する１文字分磁気信号取得手段と、
前記１文字分の磁気信号の時間軸上にＮ個（ただし、Ｎは２以上の整数）の特徴取得対象区間を設定する設定手段と、
前記１文字分の磁気信号の前記Ｎ個の特徴取得対象区間の各々における特徴を示す特徴情報を取得する特徴情報取得手段と、
前記特徴情報と、各磁気インク文字の標準特徴情報と、を比較することによって、前記１文字分の磁気信号に対応する磁気インク文字を認識する認識手段と、
を含み、
前記設定手段は、前記Ｎ個の特徴取得対象区間の各々の中心を、前記１文字分の磁気信号を時間軸上でＮ等分することによって得られるＮ個の等分区間のうちの、該特徴取得対象区間に対応する等分区間の中心よりも時間軸の負方向側に設定する、
ことを特徴とする磁気インク文字認識装置。
【請求項４】
請求項３に記載の磁気インク文字認識装置において、
前記設定手段は、前記Ｎ個の特徴取得対象区間のうちの少なくとも１つについて、該特徴取得対象区間の始端を、前記Ｎ個の等分区間のうちの、該特徴取得対象区間に対応する等分区間の始端よりも時間軸の負方向側に設定することを特徴とする磁気インク文字認識装置。
【請求項５】
請求項１乃至４のいずれかに記載の磁気インク文字認識装置において、
前記設定手段は、前記Ｎ個の特徴取得対象区間の各々の幅を、前記Ｎ個の等分区間の各々の幅よりも狭く設定することを特徴とする磁気インク文字認識装置。
【請求項６】
磁気ヘッドから出力される磁気信号に基づいて処理を実行することによって、記録媒体に記録された磁気インク文字を認識する磁気インク文字認識装置の制御方法において、
前記磁気信号の各サンプリング点における振幅値を時間軸の負方向に対応する順序で取得し、該振幅値が所定値であるか否かを判定する判定ステップと、
いずれかのサンプリング点における振幅値が前記所定値であると判定された場合、該サンプリング点に基づいて、前記磁気信号から１文字分の磁気信号を取得する１文字分磁気信号取得ステップと、
前記１文字分の磁気信号の時間軸上にＮ個（ただし、Ｎは２以上の整数）の特徴取得対象区間を設定する設定ステップと、
前記１文字分の磁気信号の前記Ｎ個の特徴取得対象区間の各々における特徴を示す特徴情報を取得する特徴情報取得ステップと、
前記特徴情報と、各磁気インク文字の標準特徴情報と、を比較することによって、前記１文字分の磁気信号に対応する磁気インク文字を認識する認識ステップと、
を含み、
前記設定ステップは、前記Ｎ個の特徴取得対象区間の各々の中心を、前記１文字分の磁気信号を時間軸上でＮ等分することによって得られるＮ個の等分区間のうちの、該特徴取得対象区間に対応する等分区間の中心よりも時間軸の正方向側に設定するステップを含む、
ことを特徴とする磁気インク文字認識装置の制御方法。
【請求項７】
磁気ヘッドから出力される磁気信号に基づいて処理を実行することによって、記録媒体に記録された磁気インク文字を認識する磁気インク文字認識装置の制御方法において、
前記磁気信号の各サンプリング点における振幅値を時間軸の正方向に対応する順序で取得し、該振幅値が所定値であるか否かを判定する判定ステップと、
いずれかのサンプリング点における振幅値が前記所定値であると判定された場合、該サンプリング点に基づいて、前記磁気信号から１文字分の磁気信号を取得する１文字分磁気信号取得ステップと、
前記１文字分の磁気信号の時間軸上にＮ個（ただし、Ｎは２以上の整数）の特徴取得対象区間を設定する設定ステップと、
前記１文字分の磁気信号の前記Ｎ個の特徴取得対象区間の各々における特徴を示す特徴情報を取得する特徴情報取得ステップと、
前記特徴情報と、各磁気インク文字の標準特徴情報と、を比較することによって、前記１文字分の磁気信号に対応する磁気インク文字を認識する認識ステップと、
を含み、
前記設定ステップは、前記Ｎ個の特徴取得対象区間の各々の中心を、前記１文字分の磁気信号を時間軸上でＮ等分することによって得られるＮ個の等分区間のうちの、該特徴取得対象区間に対応する等分区間の中心よりも時間軸の負方向側に設定するステップを含む、
ことを特徴とする磁気インク文字認識装置の制御方法。
【発明の詳細な説明】
【技術分野】
【０００１】
本発明は磁気インク文字認識装置及びその制御方法に関する。
【背景技術】
【０００２】
用紙に印刷された磁気インク文字（ＭＩＣＲ文字：Magnetic Ink Character Recognition文字）を読み取るための磁気インク文字認識装置が知られている。例えば小切手を用いた精算の場面では、小切手の表面に磁気インク文字で印刷された口座番号等を読み取るために磁気インク文字認識装置が用いられる。
【０００３】
磁気インク文字としては、例えばＪＩＳ  Ｘ９００２で規定される磁気インク文字が知られている。ＪＩＳ  Ｘ９００２では１４種類の磁気インク文字（ストローク０〜１３）が規定されている。ストローク０〜９はそれぞれ０〜９の数字に対応している。ストローク１０〜１３はそれぞれ所定の記号に対応している。図７（ａ）はＪＩＳ  Ｘ９００２で規定される磁気インク文字の一例を示している。図７（ａ）ではストローク８及びストローク０が表されている。ＪＩＳ  Ｘ９００２では、磁気インク文字の１文字分のピッチが３．１７５ｍｍと規定されている。すなわち、複数の磁気インク文字を含んでなる文字列において、一の磁気インク文字の左端から次の磁気インク文字の左端までの長さが３．１７５ｍｍと規定されている。
【０００４】
図７（ｂ）は、図７（ａ）に示す磁気インク文字を磁気ヘッドで読み取った場合に磁気ヘッドから出力される信号（以下、磁気信号と呼ぶ。）の一例を示している。図７（ｂ）に示すように、磁束が増加するタイミングでは、正（＋）のパルスが磁気ヘッドから出力される。一方、磁束が減少するタイミングでは、負（−）のパルスが磁気ヘッドから出力される。
【０００５】
図８は、従来の磁気インク文字認識装置で一般的に行われていた磁気インク文字認識処理について説明するための図である。図８には磁気信号の一部（後端部分）が表されている。また図８にはストローク０を読み取った際の磁気信号が主に表されている。
【０００６】
磁気インク文字認識処理では、磁気信号の各サンプリング点の振幅値が最後尾のサンプリング点から先頭のサンプリング点への順序で読み出される。そして磁気インク文字認識装置は、振幅値が所定値であるサンプリング点を基準サンプリング点として検出する。ここで、所定値は例えば−９６ｍＶ付近に対応する値である。次に磁気インク文字認識装置は、基準サンプリング点の所定数個前のサンプリング点から基準サンプリング点までの部分を１文字分の磁気信号データとして読み出す。なお、１文字分の磁気信号データに含まれるサンプリング点の数は、磁気インク文字認識装置が磁気インク文字のピッチ（３．１７５ｍｍ）と同じ距離だけ用紙を搬送するのに必要な時間を、磁気信号をＡ／Ｄ変換する際のサンプリング時間間隔で除算することによって決定される。ここでは、１文字分の磁気信号データに含まれるサンプリング点の数は８０とする。次に磁気インク文字認識装置は、その１文字分の磁気信号データを時間軸上で８等分する。すなわち磁気インク文字認識装置は、１文字分の磁気信号データを時間軸上の８つの等分区間Ｅ１〜Ｅ８に分割する。
【０００７】
次に磁気インク文字認識装置は、等分区間Ｅ１〜Ｅ８の各々について、正（＋）のピークが存在するか否かを判断する。図８に示す場合では、正（＋）のピークが等分区間Ｅ２，Ｅ８に存在していると判断される。また磁気インク文字認識装置は、等分区間Ｅ１〜Ｅ８の各々について、負（−）のピークが存在するか否かを判断する。図８に示す場合には、負（−）のピークが等分区間Ｅ１，Ｅ７に存在していると判断される。各磁気インク文字（ストローク０〜１３）については、正（＋）のピークが存在するべき等分区間と、負（−）のピークが存在するべき等分区間と、の組み合わせ（以下、標準組み合わせと呼ぶ。）があらかじめ定められている。また、標準組み合わせは各磁気インク文字（ストローク０〜１３）ごとに異なる。このため、磁気インク文字認識装置は、正（＋）のピークが存在する等分区間と、負（−）のピークが存在する等分区間と、の組み合わせを、各磁気インク文字（ストローク０〜１３）の標準組み合わせと比較する。そして、正（＋）のピークが存在する等分区間と、負（−）のピークが存在する等分区間と、の組み合わせが、いずれかの磁気インク文字の標準組み合わせと類似する場合、磁気インク文字認識装置は、その磁気インク文字が上記の１文字分の磁気信号データに対応する磁気インク文字であると判断する。
【発明の開示】
【発明が解決しようとする課題】
【０００８】
ところで、磁気インク文字認識装置では、例えば図９に示すように、用紙２４が紙送り方向に対して斜めに挿入されてしまう場合がある。用紙２４が斜めに挿入されてしまうと、下記に説明するように、磁気インク文字を正しく認識することができなくなる場合がある。
【０００９】
用紙２４が斜めに挿入された場合、用紙２４の後端側（図９の場合には右端側）に印刷された磁気インク文字を読み取った際の磁気信号のピークの振幅が低くなり、かつ、ピークの傾きが緩やかになることが知られている。図１０は、用紙２４が斜めに挿入された場合の磁気信号について説明するための図である。図１０において、点線で示す磁気信号は、正常に挿入された用紙２４に印刷された磁気インク文字（ストローク０）を読み取った際の磁気信号の一例を示している。なお、用紙２４が正常に挿入された場合とは、用紙２４が紙送り方向に対して斜めに挿入されていない場合である。また図１０において、実線で示す磁気信号は、斜めに挿入された用紙２４の後端側に印刷された磁気インク文字（ストローク０）を読み取った際の磁気信号の一例を示している。図１０に示すように、実線で示す磁気信号では、点線で示す磁気信号に比べて、ピークの振幅が低くなり、かつ、ピークの傾きが緩やかになっている。また、磁気信号のピークの傾きが緩やかになる結果として、振幅値が所定値になるサンプリング点が時間軸の負方向にシフトすることになる。
【００１０】
図１１は、斜めに挿入された用紙２４の後端側に印刷された磁気インク文字を認識する場合について説明するための図である。上述したように、この場合、振幅値が所定値になるサンプリング点が時間軸の負方向にシフトする。その結果、等分区間Ｅ１〜Ｅ８も、図８に示す場合と比較して、時間軸の負方向にシフトする。そして、等分区間Ｅ１〜Ｅ８が時間軸の負方向にシフトすると、正（＋）や負（−）のピークは、等分区間Ｅ１〜Ｅ８との関係では相対的に時間軸の正方向にシフトすることになる。このため、正（＋）や負（−）のピークが本来存在するべき等分区間に存在しなくなってしまう場合がある。例えば図１１に示すように、本来は等分区間Ｅ２に存在するはずの正（＋）のピークが、等分区間Ｅ２の直後の等分区間である等分区間Ｅ１に存在することになってしてしまう場合がある。また、本来は等分区間Ｅ８に存在するはずの正（＋）のピークが、等分区間Ｅ８の直後の等分区間である等分区間Ｅ７に存在することになってしまう場合がある。また、本来は等分区間Ｅ７に存在するはずの負（−）のピークが、等分区間Ｅ７の直後の等分区間である等分区間Ｅ６に存在することになってしまう場合がある。その結果、磁気インク文字を正しく認識することができなくなってしまう場合がある。
【００１１】
本発明は上記課題に鑑みてなされたものであって、その目的は、用紙が紙送り方向に対して斜めに挿入された場合の磁気インク文字の認識精度の向上を図ることが可能になる磁気インク文字認識装置及びその制御方法を提供することにある。
【課題を解決するための手段】
【００１２】
上記課題を解決するために、本発明に係る磁気インク文字認識装置は、磁気ヘッドから出力される磁気信号に基づいて処理を実行することによって、記録媒体に記録された磁気インク文字を認識する磁気インク文字認識装置において、前記磁気信号の各サンプリング点における振幅値を時間軸の負方向に対応する順序で取得し、該振幅値が所定値であるか否かを判定する判定手段と、いずれかのサンプリング点における振幅値が前記所定値であると判定された場合、該サンプリング点に基づいて、前記磁気信号から１文字分の磁気信号を取得する１文字分磁気信号取得手段と、前記１文字分の磁気信号の時間軸上にＮ個（ただし、Ｎは２以上の整数）の特徴取得対象区間を設定する設定手段と、前記１文字分の磁気信号の前記Ｎ個の特徴取得対象区間の各々における特徴を示す特徴情報を取得する特徴情報取得手段と、前記特徴情報と、各磁気インク文字の標準特徴情報と、を比較することによって、前記１文字分の磁気信号に対応する磁気インク文字を認識する認識手段と、を含み、前記設定手段は、前記Ｎ個の特徴取得対象区間の各々の中心を、前記１文字分の磁気信号を時間軸上でＮ等分することによって得られるＮ個の等分区間のうちの、該特徴取得対象区間に対応する等分区間の中心よりも時間軸の正方向側に設定することを特徴とする。
【００１３】
また、本発明に係る磁気インク文字認識装置の制御方法は、磁気ヘッドから出力される磁気信号に基づいて処理を実行することによって、記録媒体に記録された磁気インク文字を認識する磁気インク文字認識装置の制御方法において、前記磁気信号の各サンプリング点における振幅値を時間軸の負方向に対応する順序で取得し、該振幅値が所定値であるか否かを判定する判定ステップと、いずれかのサンプリング点における振幅値が前記所定値であると判定された場合、該サンプリング点に基づいて、前記磁気信号から１文字分の磁気信号を取得する１文字分磁気信号取得ステップと、前記１文字分の磁気信号の時間軸上にＮ個（ただし、Ｎは２以上の整数）の特徴取得対象区間を設定する設定ステップと、前記１文字分の磁気信号の前記Ｎ個の特徴取得対象区間の各々における特徴を示す特徴情報を取得する特徴情報取得ステップと、前記特徴情報と、各磁気インク文字の標準特徴情報と、を比較することによって、前記１文字分の磁気信号に対応する磁気インク文字を認識する認識ステップと、を含み、前記設定ステップは、前記Ｎ個の特徴取得対象区間の各々の中心を、前記１文字分の磁気信号を時間軸上でＮ等分することによって得られるＮ個の等分区間のうちの、該特徴取得対象区間に対応する等分区間の中心よりも時間軸の正方向側に設定するステップを含むことを特徴とする。
【００１４】
本発明によれば、用紙が紙送り方向に対して斜めに挿入された場合の磁気インク文字の認識精度の向上を図ることが可能になる。
【００１５】
また、本発明の一態様では、前記設定手段は、前記Ｎ個の特徴取得対象区間のうちの少なくとも１つについて、該特徴取得対象区間の終端を、前記Ｎ個の等分区間のうちの、該特徴取得対象区間に対応する等分区間の終端よりも時間軸の正方向側に設定するようにしてもよい。
【００１６】
また、本発明に係る磁気インク文字認識装置は、磁気ヘッドから出力される磁気信号に基づいて処理を実行することによって、記録媒体に記録された磁気インク文字を認識する磁気インク文字認識装置において、前記磁気信号の各サンプリング点における振幅値を時間軸の正方向に対応する順序で取得し、該振幅値が所定値であるか否かを判定する判定手段と、いずれかのサンプリング点における振幅値が前記所定値であると判定された場合、該サンプリング点に基づいて、前記磁気信号から１文字分の磁気信号を取得する１文字分磁気信号取得手段と、前記１文字分の磁気信号の時間軸上にＮ個（ただし、Ｎは２以上の整数）の特徴取得対象区間を設定する設定手段と、前記１文字分の磁気信号の前記Ｎ個の特徴取得対象区間の各々における特徴を示す特徴情報を取得する特徴情報取得手段と、前記特徴情報と、各磁気インク文字の標準特徴情報と、を比較することによって、前記１文字分の磁気信号に対応する磁気インク文字を認識する認識手段と、を含み、前記設定手段は、前記Ｎ個の特徴取得対象区間の各々の中心を、前記１文字分の磁気信号を時間軸上でＮ等分することによって得られるＮ個の等分区間のうちの、該特徴取得対象区間に対応する等分区間の中心よりも時間軸の負方向側に設定することを特徴とする。
【００１７】
また、本発明に係る磁気インク文字認識装置の制御方法は、磁気ヘッドから出力される磁気信号に基づいて処理を実行することによって、記録媒体に記録された磁気インク文字を認識する磁気インク文字認識装置の制御方法において、前記磁気信号の各サンプリング点における振幅値を時間軸の正方向に対応する順序で取得し、該振幅値が所定値であるか否かを判定する判定ステップと、いずれかのサンプリング点における振幅値が前記所定値であると判定された場合、該サンプリング点に基づいて、前記磁気信号から１文字分の磁気信号を取得する１文字分磁気信号取得ステップと、前記１文字分の磁気信号の時間軸上にＮ個（ただし、Ｎは２以上の整数）の特徴取得対象区間を設定する設定ステップと、前記１文字分の磁気信号の前記Ｎ個の特徴取得対象区間の各々における特徴を示す特徴情報を取得する特徴情報取得ステップと、前記特徴情報と、各磁気インク文字の標準特徴情報と、を比較することによって、前記１文字分の磁気信号に対応する磁気インク文字を認識する認識ステップと、を含み、前記設定ステップは、前記Ｎ個の特徴取得対象区間の各々の中心を、前記１文字分の磁気信号を時間軸上でＮ等分することによって得られるＮ個の等分区間のうちの、該特徴取得対象区間に対応する等分区間の中心よりも時間軸の負方向側に設定するステップを含むことを特徴とする。
【００１８】
本発明によれば、用紙が紙送り方向に対して斜めに挿入された場合の磁気インク文字の認識精度の向上を図ることが可能になる。
【００１９】
また、本発明の一態様では、前記設定手段は、前記Ｎ個の特徴取得対象区間のうちの少なくとも１つについて、該特徴取得対象区間の始端を、前記Ｎ個の等分区間のうちの、該特徴取得対象区間に対応する等分区間の始端よりも時間軸の負方向側に設定するようにしてもよい。
【００２０】
また、本発明の一態様では、前記設定手段は、前記Ｎ個の特徴取得対象区間の各々の幅を、前記Ｎ個の等分区間の各々の幅よりも狭く設定するようにしてもよい。
【発明を実施するための最良の形態】
【００２１】
以下、本発明の実施形態の一例について図面に基づき詳細に説明する。
【００２２】
図１は、本発明の実施形態に係る磁気インク文字認識装置の全体構成を示す図である。同図に示すように、本実施の形態に係る磁気インク文字認識装置１０は、制御部１１と、記憶部１２と、インタフェース（Ｉ／Ｆ）１３と、磁気信号データ取得部１４と、印刷部１５と、を含んで構成される。
【００２３】
制御部１１は記憶部１２に記憶されるプログラムに従って動作し、磁気インク文字認識装置１０全体の制御を行う。記憶部１２は、例えばＲＯＭ（Read Only Memory）やＲＡＭ（Random Access Memory）等のコンピュータ読み取り可能な情報記憶媒体を含んで構成される。記憶部１２は、各種処理を実行するための各種データを記憶するワークメモリとしても動作する。
【００２４】
インタフェース１３はホストコンピュータ（図示せず）とデータ授受可能に通信接続するためのものである。インタフェース１３は制御部１１からの指示に従って各種データをホストコンピュータに送信する。また、インタフェース１３はホストコンピュータから各種データを受信し、制御部１１に供給する。
【００２５】
磁気信号データ取得部１４は磁気信号データを取得し、制御部１１に供給する。磁気信号データ取得部１４の動作の詳細については後述する。制御部１１は、磁気信号データ取得部１４から供給される磁気信号データに基づいて、用紙（記録媒体）に印刷（記録）された磁気インク文字を認識する。認識結果はインタフェース１３を介してホストコンピュータに供給され、各種処理に供される。
【００２６】
印刷部１５は用紙に画像を印刷するためのものである。制御部１１はホストコンピュータからインタフェース１３を介して供給される印刷データを解釈し、ラスタ画像データに変換する。このラスタ画像データは印刷部１５に供給される。印刷部１５はラスタ画像データを印刷する。
【００２７】
上記の磁気インク文字認識装置１０は例えば小切手による精算の場面で用いられる。例えば、磁気インク文字読み取り機能は、小切手に磁気インク文字で印刷された口座番号等を読み取るために利用される。印刷機能は店識別情報や購入金額等を小切手に印刷するために利用される。
【００２８】
ここで、磁気信号データ取得部１４についてさらに詳しく説明する。図２は磁気信号データ取得部１４の機構を示す模式図である。図１及び図２に示すように、磁気信号データ取得部１４は、用紙センサ１６（用紙センサ１６ａ及び１６ｂ）と、搬送ローラ１７と、搬送モータ１８と、搬送モータ駆動制御部１９と、磁石２０と、磁気ヘッド２１と、磁気信号処理回路部２２と、Ａ／Ｄコンバータ部２３と、を含んで構成される。
【００２９】
用紙センサ１６ａは磁気インク文字認識装置１０の所定の挿入口に用紙２４が挿入されたか否かを検出する。搬送ローラ１７は挿入口に挿入された用紙２４を一定速度で搬送する。搬送モータ１８は搬送ローラ１７を一定速度で回転させるためのステップモータを含んで構成される。搬送モータ駆動制御部１９は搬送モータ１８の駆動を制御する。用紙センサ１６ａによって挿入口に用紙２４が挿入されたことが検出されると、搬送モータ駆動制御部１９は搬送モータ１８を駆動する。搬送モータ１８が駆動されると、搬送ローラ１７が図２に示すＡ方向（時計回り方向）に回転され、用紙２４が図２に示すＢ方向（紙送り方向）に搬送される。このとき、用紙２４は磁気ヘッド２１と搬送ローラ１７とに挟持される。
【００３０】
用紙２４の表面２４ａの磁気インク文字が印刷された領域は磁石２０によって磁化される。磁気ヘッド２１は、用紙２４の表面２４ａに印刷された磁気インク文字に起因する磁束の変化に応じた信号（磁気信号）を出力する。磁気ヘッド２１から出力される磁気信号は磁気信号処理回路部２２に入力される。磁気信号処理回路部２２は磁気信号の増幅及びフィルタリング（ノイズの除去）を行う。磁気信号処理回路部２２によって増幅又はフィルタリングされた磁気信号はＡ／Ｄコンバータ２３に入力される。Ａ／Ｄコンバータ２３は磁気信号をＡ／Ｄ変換する。Ａ／Ｄコンバータ２３によってＡ／Ｄ変換された磁気信号は制御部１１に順次供給され、記憶部１２に記憶される。
【００３１】
以上に説明した磁気信号データ取得部１４の動作は、磁気ヘッド２１の下流側に設けられた用紙センサ１６ｂによって用紙２４が検出されなくなるまで、又は、搬送ローラ１７によって用紙２４が所定量搬送されるまで繰り返される。以上に説明した磁気信号データ取得部１４の動作が行われた結果、記憶部１２には磁気信号データが記憶される。磁気信号データは、磁気信号の各サンプリング点における振幅値（電圧）を例えば１０２４段階の数値で表す数値列データである。
【００３２】
以下、上記の磁気インク文字認識装置１０において、用紙２４が紙送り方向に対して斜めに挿入された場合の磁気インク文字の認識精度の向上を図るための技術について説明する。
【００３３】
図３は、磁気信号データに基づいて磁気インク文字を認識するための処理（磁気インク文字認識処理）を示すフロー図である。図４は、磁気インク文字認識処理の内容について説明するための図である。図４には磁気信号の一部（後端部分）が表されている。また図４にはストローク０を読み取った際の磁気信号が主に表されている。
【００３４】
まず制御部１１は変数ｉを１に初期化する（Ｓ１０１）。次に制御部１１（判定手段）は、磁気信号データの最後尾からｉ番目のサンプリング点の振幅値が所定値であるか否かを判定する（Ｓ１０２）。例えば、所定値は−９６ｍＶ付近を示す値である。
【００３５】
最後尾からｉ番目のサンプリング点の振幅値が所定値でない場合、制御部１１は変数ｉの値に１を加算する（Ｓ１１１）。そして制御部１１は、変数ｉの値が磁気信号データ全体のサンプリング点の総数（Ｍ）以上であるか否かを判定する（Ｓ１０９）。変数ｉがＭ以上でない場合、制御部１１はＳ１０２を実行する。このように、磁気インク文字認識処理では、磁気信号データの各サンプリング点の振幅値が最後尾のサンプリング点から先頭のサンプリング点への順序で読み出される。言い換えれば、磁気インク文字認識処理では、磁気信号データの各サンプリング点の振幅値が時間軸の負方向に対応する順序で読み出される。そして、振幅値が読み出されるごとに、その振幅値が所定値であるか否かが判定される。
【００３６】
一方、最後尾からｉ番目のサンプリング点の振幅値が所定値である場合、制御部１１（１文字分磁気信号取得手段）は、そのサンプリング点に基づいて、１文字分の磁気信号データを抽出する（Ｓ１０３）。具体的には、制御部１１は、磁気信号データのうちの、最後尾から（ｉ＋７９）番目のサンプリング点から、最後尾からｉ番目のサンプリング点までの部分を１文字分の磁気信号データとして読み出す。なお、１文字分の磁気信号データに含まれるサンプリング点の数（ここでは８０）は、磁気インク文字のピッチ（３．１７５ｍｍ）と同じ距離だけ用紙２４を搬送するのに必要な時間を、磁気信号をＡ／Ｄ変換する際のサンプリング時間間隔で除算することによって決定される。
【００３７】
次に制御部１１（設定手段）は、１文字分の磁気信号データに対して８つの区間（特徴取得対象区間）Ｓ１〜Ｓ８を設定する（Ｓ１０４）。区間Ｓ１〜Ｓ８は下記に説明するようにして設定される。
【００３８】
区間Ｓ１は、１文字分の磁気信号データに含まれるサンプリング点のうちの、最後尾から７番目のサンプリング点を始端とし、最後尾から１番目のサンプリング点を終端とする区間である。区間Ｓｎ（ｎは２≦ｎ≦８の整数）は、１文字分の磁気信号データに含まれるサンプリング点のうちの、最後尾から（（８０／８）＊（ｎ−１）＋７）番目のサンプリング点を始端とし、最後尾から（（８０／８）＊（ｎ−１））番目のサンプリング点を終端とする区間である。すなわち、区間Ｓ２は、１文字分の磁気信号データに含まれるサンプリング点のうちの、最後尾から１６番目のサンプリング点を始端とし、最後尾から１０番目のサンプリング点を終端とする区間である。区間Ｓ３は、１文字分の磁気信号データに含まれるサンプリング点のうちの、最後尾から２６番目のサンプリング点を始端とし、最後尾から２０番目のサンプリング点を終端とする区間である。区間Ｓ４は、１文字分の磁気信号データに含まれるサンプリング点のうちの、最後尾から３６番目のサンプリング点を始端とし、最後尾から３０番目のサンプリング点を終端とする区間である。区間Ｓ５は、１文字分の磁気信号データに含まれるサンプリング点のうちの、最後尾から４６番目のサンプリング点を始端とし、最後尾から４０番目のサンプリング点を終端とする区間である。区間Ｓ６は、１文字分の磁気信号データに含まれるサンプリング点のうちの、最後尾から５６番目のサンプリング点を始端とし、最後尾から５０番目のサンプリング点を終端とする区間である。区間Ｓ７は、１文字分の磁気信号データに含まれるサンプリング点のうちの、最後尾から６６番目のサンプリング点を始端とし、最後尾から６０番目のサンプリング点を終端とする区間である。区間Ｓ８は、１文字分の磁気信号データに含まれるサンプリング点のうちの、最後尾から７６番目のサンプリング点を始端とし、最後尾から７０番目のサンプリング点を終端とする区間である。
【００３９】
図４に示すように、区間Ｓｎ（ｎは１≦ｎ≦８の整数）の中心は、等分区間Ｅｎの中心よりも時間軸の正方向側に設定される。例えば区間Ｓ１の中心は、等分区間Ｅ１の中心よりも時間軸の正方向側に設定される。本実施の形態では、磁気信号の各サンプリング点の振幅値が時間軸の負方向に対応する順序で読み出されるため、区間Ｓｎの中心は、等分区間Ｅｎの中心よりも、振幅値の読み出し方向とは逆方向側に設定されることになる。
【００４０】
また図４に示すように、区間Ｓｎ（ｎは２≦ｎ≦８の整数）の終端は、等分区間Ｅｎの終端よりも時間軸の正方向側に設定される。例えば等分区間Ｅ２の終端は、１文字分の磁気信号データに含まれるサンプリング点のうちの、最後尾から１１番目のサンプリング点であるのに対し、区間Ｓ２の終端は、１文字分の磁気信号データに含まれるサンプリング点のうちの、最後尾から１０番目のサンプリング点になっている。すなわち、区間Ｓ２の終端は、等分区間Ｅ２の終端よりも時間軸の正方向にサンプリング点１個分だけシフトしている。区間Ｓ３〜Ｓ８についても同様である。
【００４１】
また図４に示すように、区間Ｓ１〜Ｓ８の各々に含まれるサンプリング点の数（７）は、等分区間Ｅ１〜Ｅ８の各々に含まれるサンプリング点の数（１０）よりも少なくなっている。すなわち、区間Ｓ１〜Ｓ８の各々の幅は等分区間Ｅ１〜Ｅ８の各々の幅よりも狭くなっている。
【００４２】
また図４に示すように、区間Ｓ１〜Ｓ８の各区間は時間的に連続していない。すなわち、一の区間の終端と次の区間の始端との間には、少なくとも１つのサンプリング点が含まれる間隔が設けられている。
【００４３】
次に制御部１１（特徴情報取得手段）は、区間Ｓ１〜Ｓ８の各々における磁気信号の特徴を示す特徴情報を取得する。本実施の形態の場合、制御部１１は、区間Ｓ１〜Ｓ８のうちの、正（＋）のピークが存在する区間と、負（−）のピークが存在する区間と、の組み合わせを特徴情報として取得する。具体的には、制御部１１は、区間Ｓ１〜Ｓ８の各々について、正（＋）又は負（−）のピークが存在するか否かを判定する（Ｓ１０５）。例えば、あるサンプリング点の振幅値がその直前及び直後のサンプリング点の振幅値よりも大きい場合、制御部１１は、そのサンプリング点が正（＋）のピーク点であると判断する。また例えば、あるサンプリング点の振幅値がその直前及び直後のサンプリング点の振幅値よりも小さい場合、制御部１１は、そのサンプリング点が負（−）のピーク点であると判断する。
【００４４】
次に制御部１１（認識手段）は、正（＋）のピークが存在する区間と、負（−）のピークが存在する区間と、の組み合わせが、いずれかの磁気インク文字（ストローク０〜１３）の標準組み合わせ（標準特徴情報）と類似するか否かを判定する（Ｓ１０６）。正（＋）のピークが存在する区間と、負（−）のピークが存在する区間と、の組み合わせが、いずれかの磁気インク文字（ストローク０〜１３）の標準組み合わせと類似する場合、制御部１１（認識手段）は、その磁気インク文字が、Ｓ１０３で取得された１文字分の磁気信号データに対応する磁気インク文字であると判断する（Ｓ１０７）。その後、制御部１１は変数ｉの値に８０を加算する（Ｓ１０８）。本実施の形態では、Ｓ１０３において、磁気信号データのうちの、最後尾から（ｉ＋７９）番目のサンプリング点から、最後尾からｉ番目のサンプリング点までの部分が１文字分の磁気信号データとして抽出される。その結果、次は、最後尾から（ｉ＋８０）番目のサンプリング点以前のサンプリング点のうちから、振幅値が所定値となるサンプリング点を見つけ出し（Ｓ１０２参照）、１文字分の磁気信号データを抽出する必要がある。このため、Ｓ１０８では変数ｉの値に８０が加算される。変数ｉの値に８０が加算されたら、制御部１１は変数ｉの値が磁気信号データ全体のサンプリング点の総数（Ｍ）以上であるか否かを判定する（Ｓ１０９）。変数ｉがＭ以上でない場合、制御部１１はＳ１０２を実行する。一方、変数ｉがＭ以上である場合、制御部１１は本処理を終了する。
【００４５】
なお、Ｓ１０６において、正（＋）のピークが存在する区間と、負（−）のピークが存在する区間と、の組み合わせが、いずれの磁気インク文字（ストローク０〜１３）の標準組み合わせとも類似しないと判定された場合、制御部１１はエラー処理を実行する（Ｓ１１０）。例えば制御部１１は、磁気インク文字を認識することができなかった旨のメッセージを磁気インク文字認識装置１０の液晶表示部又はホストコンピュータの表示部に表示するための処理を実行する。
【００４６】
図５は、斜めに挿入された用紙２４の後端側に印刷された磁気インク文字（ストローク０）を読み取った際の磁気信号と、その磁気信号に対して設定される区間Ｓ１〜Ｓ８と、を示している。図５に示すように、正（＋）のピークは区間Ｓ２，Ｓ８に含まれており、負（−）のピークは区間Ｓ１，Ｓ７に含まれている。すなわち、正（＋）のピークが存在する区間（Ｓ２，Ｓ８）と、負（−）のピークが存在する区間（Ｓ１，Ｓ７）と、の組み合わせが、図４に示す場合（用紙２４が正常に挿入された場合）と同じになっている。このため、斜めに挿入された用紙２４の後端側に印刷された磁気インク文字を、正常に挿入された用紙２４に印刷された磁気インク文字と同様に認識できるようになる。
【００４７】
以上に説明した磁気インク文字認識装置１０によれば、等分区間Ｅ１〜Ｅ８に代えて区間Ｓ１〜Ｓ８が設定される結果として、用紙２４が紙送り方向に対して斜めに挿入された場合の磁気インク文字の認識精度を向上させることが可能になる。
【００４８】
上述したように、従来の磁気インク文字認識装置では、用紙２４が紙送り方向に対して斜めに挿入されると、磁気信号の正（＋）や負（−）のピークが、等分区間Ｅ１〜Ｅ８との関係で相対的に時間軸の正方向にシフトしてしまう場合があった。その結果として、磁気信号の正（＋）や負（−）のピークが、本来存在するはずの等分区間の直後の区間に存在してしまうことになり、磁気インク文字を正しく認識できなくなってしまう場合があった（図８，１１参照）。
【００４９】
この点、本実施の形態に係る磁気インク文字認識装置１０では、区間Ｓｎ（ｎは２≦ｎ≦８の整数）の終端が、等分区間Ｅｎの終端よりも時間軸の正方向側に設定される。その結果、用紙２４が紙送り方向に対して斜めに挿入されたことに起因して、磁気信号の正（＋）や負（−）のピークが、区間Ｓ１〜Ｓ８との関係で相対的に時間軸の正方向にシフトしたとしても、そのシフト量が大きくなければ、正（＋）又は負（−）のピークが区間（Ｓ１〜Ｓ８）の組み合わせは、用紙２４が正常に挿入された場合と同じになる。その結果として、斜めに挿入された用紙２４の後端側に印刷された磁気インク文字が、正常に挿入された用紙２４に印刷された磁気インク文字と同様に認識されるようになる。
【００５０】
また、従来の磁気インク文字認識装置では、用紙２４が斜めに挿入されたことに起因して、正（＋）又は負（−）のピークが本来の等分区間に存在しなくなった場合、そのピークは本来の等分区間の直後の等分区間に存在することになる。等分区間Ｅ１〜Ｅ８に関しては、一の等分区間の終端と次の等分区間の始端とが連続しているからである。ここで、ある磁気インク文字の磁気信号の正（＋）のピークが存在する等分区間（Ｅ１〜Ｅ８）の組み合わせが（１，１，０，０，１，０，０）である場合を想定する。なお、上記括弧内のｎ（ｎは１≦ｎ≦８の整数）番目の要素は、等分区間Ｅｎに正（＋）のピークが存在するか否かを示している。また、「１」は正（＋）のピークが存在していることを示しており、「０」は正（＋）のピークが存在していないことを示している。この場合、用紙２４が斜めに挿入されたことに起因して、例えば正（＋）のピークが等分区間Ｅ６に存在しなくなった場合、そのピークは等分区間Ｅ５に存在することになる。その結果、正（＋）のピークが存在する等分区間の組み合わせは（１，１，０，１，０，０，０）になる。上記の両組み合わせを比較すると、２つの要素が異なるため、両組み合わせの類似度は低くなる。その結果、１文字分の磁気信号データに対応する磁気インク文字が正しく認識される可能性は低くなる。
【００５１】
この点、本実施の形態に係る磁気インク文字認識装置１０では、区間Ｓ１〜Ｓ８の各々の幅が等分区間Ｅ１〜Ｅ８の各々の幅よりも狭く設定される。その結果、区間Ｓ１〜Ｓ８に関しては、一の区間の終端と次の区間の始端との間に間隔が設けられる。このため、磁気インク文字認識装置１０では、用紙２４が斜めに挿入されたことに起因して、正（＋）又は負（−）のピークが本来の区間に存在しなくなった場合であっても、そのピークが本来の区間の後の区間に存在することになる可能性は低い。区間Ｓ１〜Ｓ８に関しては、一の区間の終端と次の区間の始端との間に間隔があるからである。ここで、ある磁気インク文字の磁気信号の正（＋）のピークが存在する区間（Ｓ１〜Ｓ８）の組み合わせが（１，１，０，０，１，０，０）である場合を想定する。なお、上記括弧内のｎ（ｎは１≦ｎ≦８の整数）番目の要素は、区間Ｓｎに正（＋）のピークが存在するか否かを示している。また、「１」は正（＋）のピークが存在していることを示しており、「０」は正（＋）のピークが存在していないことを示している。この場合、用紙２４が斜めに挿入されたことに起因して、例えば正（＋）のピークが区間Ｓ６に存在しなくなったときでも、正（＋）のピークが区間Ｓ５に存在することになる可能性は低い。その結果、正（＋）のピークが存在する等分区間の組み合わせは（１，１，０，０，０，０，０）になる。この場合、上記の両組み合わせを比較すると、１つの要素のみが異なるだけであるため、２つの要素が異なる場合と比較して両組み合わせの類似度は高くなる。その結果、１文字分の磁気信号データに対応する磁気インク文字が正しく認識される可能性が高くなる。
【００５２】
なお、本発明は以上に説明した実施の形態に限定されるものではない。
【００５３】
例えば、区間Ｓｎ（ｎは１≦ｎ≦８の整数）の終端は等分区間Ｅｎの終端と一致するようにしてもよい。この場合、区間Ｓｎの始端は、１文字分の磁気信号データに含まれるサンプリング点のうちの、最後尾から（（８０／８）＊（ｎ−１）＋７）番目のサンプリング点になる。また、区間Ｓｎの終端は、１文字分の磁気信号データに含まれるサンプリング点のうちの、最後尾から（（８０／８）＊（ｎ−１）＋１）番目のサンプリング点になる。例えば、区間Ｓ２の始端は、１文字分の磁気信号データに含まれるサンプリング点のうちの、最後尾から１７番目のサンプリング点になる。区間Ｓ２の終端は、１文字分の磁気信号データに含まれるサンプリング点のうちの、最後尾から１１番目のサンプリング点になる。このようにしても、一の区間の終端と次の区間の始端との間に間隔が設けられるため、用紙２４が紙送り方向に対して斜めに挿入された際の磁気インク文字の認識精度を向上させることが可能になる。
【００５４】
また例えば、通常は、従来の磁気インク文字認識装置と同様に等分区間Ｅ１〜Ｅ８を用いた磁気インク文字認識処理を実行するようにしてもよい。そして、エラーが発生した場合にのみ、区間Ｓ１〜Ｓ８を用いた磁気インク文字認識処理を実行するようにしてもよい。
【００５５】
また例えば、区間Ｓ１〜Ｓ８は磁気インク文字の認識状況に応じて設定されるようにしてもよい。すなわち、区間Ｓ１〜Ｓ８の始端、中心、終端や幅は、磁気インク文字の認識状況に基づいて決定されるようにしてもよい。
【００５６】
例えば制御部１１は、認識対象の磁気インク文字の用紙２４における印刷位置に基づいて、区間Ｓ１〜Ｓ８の始端、中心、終点や幅を決定するようにしてもよい。例えば小切手のように、用紙２４に印刷される磁気インク文字の位置や数があらかじめ定められている場合には、制御部１１は、認識対象の磁気インク文字が、用紙２４に印刷される磁気インク文字のうちの何文字目であるかによって、区間Ｓ１〜Ｓ８の始端、中心、終端や幅を決定するようにしてもよい。なお、認識対象の磁気インク文字が、用紙２４に印刷される磁気インク文字のうちの何文字目であるかは、用紙２４に印刷される磁気インク文字の総数と、認識済みの磁気インク文字の数と、に基づいて判断される。
【００５７】
上述したように、用紙２４が斜めに挿入された場合には、用紙２４の後端側に印刷される磁気インク文字ほど、磁気信号のピークの振幅が小さくなり、かつ、ピークの傾きが緩くなる（図１０参照）。このため、用紙２４の後端側に印刷される磁気インク文字ほど、正確に認識することが困難になる。この点、以上のようにすれば、認識対象の磁気インク文字の印刷位置に応じて、区間Ｓ１〜Ｓ８を変えることが可能になる。その結果、磁気インク文字の認識がより好適に行われるように図ることが可能になる。
【００５８】
また例えば制御部１１は、用紙２４に印刷される磁気インク文字の総数に基づいて、区間Ｓ１〜Ｓ８の始端、中心、終端や幅を決定するようにしてもよい。例えば、用紙２４に印刷される磁気インク文字の総数が比較的少なく、用紙２４の後端側に磁気インク文字が印刷されていないような場合には、用紙２４が斜めに挿入されたことに起因する影響を考慮する必要性が低い。この点、以上のようにすれば、用紙２４が斜めに挿入されたことに起因する影響を考慮する必要がある場合にのみ、その影響を考慮した磁気インク文字認識処理を実行できるようになる。
【００５９】
また例えば、区間Ｓ１〜Ｓ８は磁気インク文字認識装置１０ごとの特性を考慮して決定されるようにしてもよい。すなわち、区間Ｓ１〜Ｓ８の始端、中心、終端や幅は、磁気インク文字認識装置１０ごとの特性を考慮して決定されるようにしてもよい。
【００６０】
例えば、後端側に所定の磁気インク文字（例えばストローク０）が印刷された用紙２４を磁気インク文字認識装置１０に読み取らせるようにしてもよい。そして、その際に得られた磁気信号と、上記所定の磁気インク文字の標準磁気信号と、を比較するようにしてもよい。そして、その比較結果に基づいて、区間Ｓ１〜Ｓ８の始端、中心、終端や幅が決定されるようにしてもよい。
【００６１】
また例えば、先端側と後端側との両方に所定の磁気インク文字（例えばストローク０）が印刷された用紙２４を磁気インク文字認識装置１０に読み取らせるようにしてもよい。そして、先端側に印刷された磁気インク文字が読み取られた際の磁気信号と、後端側に印刷された磁気インク文字が読み取られた際の磁気信号と、を比較するようにしてもよい。そして、その比較結果に基づいて、区間Ｓ１〜Ｓ８の始点、中心、終点や幅が決定されるようにしてもよい。
【００６２】
磁気インク文字認識装置１０の特性は各磁気インク文字認識装置１０ごとに異なるため、用紙２４が斜めに挿入されたことに起因する影響も各磁気インク文字認識装置１０ごとに異なると考えられる。この点、以上のようにすれば、各磁気インク文字認識装置１０ごとの特性に合わせて、区間Ｓ１〜Ｓ８の始端、中心、終端や幅を決定することが可能になる。すなわち、各磁気インク文字認識装置１０ごとに最適な区間Ｓ１〜Ｓ８を設定することが可能になる。
【００６３】
また例えば、本実施の形態における磁気インク文字認識処理（図３参照）では、制御部１１が、磁気信号データの各サンプリング点の振幅値を最後尾のサンプリング点から先頭のサンプリング点への順序で読み出し、その振幅値が所定値であるか否かを判定するようにした。しかしながら、制御部１１は、磁気信号データの各サンプリング点の振幅値を先頭のサンプリング点から最後尾のサンプリング点への順序で読み出し、その振幅値が所定値であるか否かを判定するようにしてもよい。言い換えれば、制御部１１は、磁気信号データの各サンプリング点の振幅値を時間軸の正方向に対応する順序で読み出し、その振幅値が所定値であるか否かを判定するようにしてもよい。
【００６４】
図６は、上記のようにした場合の磁気インク文字認識処理について説明するための図である。この場合、図３のＳ１０２では、磁気信号データの先頭からｉ番目のサンプリング点の振幅値が所定値であるか否かが判定される。その場合の所定値は例えば＋９６ｍＶ付近に対応する値である。また、図３のＳ１０３では、磁気信号データのうちの、先頭からｉ番目のサンプリング点から、先頭から（ｉ＋７９）番目のサンプリング点までの部分が１文字分の磁気信号データとして読み出される。
【００６５】
また図６に示すように、区間Ｓ１は、１文字分の磁気信号データに含まれるサンプリング点のうちの、先頭から１番目のサンプリング点を始端とし、先頭から７番目のサンプリング点を終端とする区間になる。区間Ｓｎ（ｎは２≦ｎ≦８の整数）は、１文字分の磁気信号データに含まれるサンプリング点のうちの、先頭から（（８０／８）＊（ｎ−１））番目のサンプリング点を始端とし、先頭から（（８０／８）＊（ｎ−１）＋７）番目のサンプリング点を終端とする区間になる。この場合、区間Ｓｎ（ｎは１≦ｎ≦８の整数）の中心は、等分区間Ｅｎの中心と比較して時間軸の負方向にシフトする。すなわち、区間Ｓｎの中心は、等分区間Ｅｎの中心と比較して、振幅値の読み出し方向とは逆方向にシフトする。また、区間Ｓｎ（ｎは２≦ｎ≦８の整数）の始端は、等分区間Ｅｎの始端と比較して時間軸の負方向にシフトする。例えば等分区間Ｅ２の始端は、１文字分の磁気信号データに含まれるサンプリング点のうちの、先頭から１１番目のサンプリング点であるのに対し、区間Ｓ２の始端は、１文字分の磁気信号データに含まれるサンプリング点のうちの、先頭から１０番目のサンプリング点になる。すなわち、区間Ｓ２の始端は、等分区間Ｅ２の始端に比較して時間軸の負方向にサンプリング点１個分だけシフトする。区間Ｓ３〜Ｓ８についても同様である。また、区間Ｓ１〜Ｓ８の各々に含まれるサンプリング点の数（７）は、等分区間Ｅ１〜Ｅ８の各々に含まれるサンプリング点の数（１０）よりも少なくなる。すなわち、区間Ｓ１〜Ｓ８の各々の幅は等分区間Ｅ１〜Ｅ８の各々の幅よりも狭くなる。さらに、一の区間の終端と次の区間の始端との間には、少なくとも１つのサンプリング点が含まれる間隔が設けられる。
【００６６】
以上のようにすれば、磁気信号データの各サンプリング点の振幅値を先頭のサンプリング点から最後尾のサンプリング点への順序で読み出す場合であっても、用紙２４が紙送り方向に対して斜めに挿入された際の磁気インク文字の認識精度を向上させることが可能になる。なお、この場合、区間Ｓｎ（ｎは１≦ｎ≦８の整数）の始端は等分区間Ｅｎの始端と一致するようにしてもよい。
【図面の簡単な説明】
【００６７】
【図１】本発明の実施形態に係る磁気インク文字認識装置の全体構成を示す図である。
【図２】磁気信号データ取得部の機構を示す模式図である。
【図３】磁気インク文字認識処理を示すフロー図である。
【図４】磁気インク文字認識処理について説明するための図である。
【図５】本実施の形態における磁気インク文字認識装置において、斜めに挿入された用紙の後端側に印刷された磁気インク文字を認識する場合について説明するための図である。
【図６】磁気インク文字認識処理の他の例について説明するための図である。
【図７】磁気インク文字の一例と、磁気インク文字が読み取られた場合の磁気信号の一例と、について示す図である。
【図８】従来の磁気インク文字認識装置における磁気インク文字認識処理について説明するための図である。
【図９】紙送り方向に対して斜めに挿入された用紙について説明するための図である。
【図１０】斜めに挿入された用紙の後端側に印刷された磁気インク文字を読み取った場合の磁気信号について説明するための図である。
【図１１】従来の磁気インク文字認識装置において、斜めに挿入された用紙の後端側に印刷された磁気インク文字を認識する場合について説明するための図である。
【符号の説明】
【００６８】
１０  磁気インク文字認識装置、１１  制御部、１２  記憶部、１３  インタフェース、１４  磁気信号データ取得部、１５  印刷部、１６，１６ａ，１６ｂ  用紙センサ、１７  搬送ローラ、１８  搬送モータ、１９  搬送モータ駆動制御部、２０  磁石、２１  磁気ヘッド、２２  磁気信号処理回路部、２３  Ａ／Ｄコンバータ、２４  用紙、２４ａ  表面。
【図１】
2008210133.tif 000003
【図２】
2008210133.tif 000004
【図３】
2008210133.tif 000005
【図４】
2008210133.tif 000006
【図５】
2008210133.tif 000007
【図６】
2008210133.tif 000008
【図７】
2008210133.tif 000009
【図８】
2008210133.tif 000010
【図９】
2008210133.tif 000011
【図１０】
2008210133.tif 000012
【図１１】
2008210133.tif 000013